(57)【要約】【課題】印刷実行部が付箋の印刷のための専用の構成を備えていなくても、付箋への印刷を実現するための技術を提供する。【解決手段】端末装置のＣＰＵは、付箋ＦＳに印刷されるべき対象画像を表わす対象データを取得する取得処理と、対象データを利用して、付箋ＦＳへの対象画像の印刷をプリンタに実行させるための印刷データを生成する生成処理と、印刷データをプリンタに供給する供給処理とを実行する。付箋ＦＳは、台紙ＭＢ上に貼り付けられた状態で搬送される。印刷データは、対象画像が所定領域に配置されている印刷画像を表わす。所定領域は、コルゲートプレート７０が付箋ＦＳの一部を押さえている状態で、印刷ヘッドＰＨが対象画像を付箋ＦＳに印刷するための主走査動作を実行可能な領域であり、かつ、コルゲートプレート７０が付箋ＦＳの一部を押さえていない状態で、上記の主走査動作を実行不可能な領域である。【選択図】図６
2017151862.tif 000002
【特許請求の範囲】
【請求項１】
印刷実行部に印刷を実行させる制御装置のためのコンピュータプログラムであって、
前記印刷実行部は、
副走査方向に沿って並ぶＮ個（前記Ｎは２以上の整数）のノズルを備える印刷ヘッドと、
前記副走査方向に沿って上流側から下流側に向けて搬送される印刷媒体の一部を押さえるための押さえ部材と、
前記印刷ヘッドに主走査動作を実行させるヘッド駆動部であって、前記主走査動作は、前記印刷ヘッドを、前記副走査方向に直交する主走査方向に沿って移動させつつ、前記印刷ヘッドに、前記印刷媒体に向けてインクを吐出させる動作を含む、前記ヘッド駆動部と、を備え、
前記コンピュータプログラムは、前記制御装置に、以下の各処理、即ち、
第１の付箋に印刷されるべき第１の対象画像を表わす第１の対象データを取得する第１の取得処理と、
前記第１の対象データを利用して、前記第１の付箋への前記第１の対象画像の印刷を前記印刷実行部に実行させるための印刷データを生成する生成処理であって、
前記第１の付箋は、台紙上に貼り付けられた状態で前記印刷実行部によって搬送され、
前記印刷データは、前記第１の対象画像が第１の所定領域に配置されている印刷画像を表わし、
前記第１の所定領域は、前記押さえ部材が前記第１の付箋の一部を押さえている状態で、前記印刷ヘッドが前記第１の対象画像を前記第１の付箋に印刷するための前記主走査動作を実行可能な領域であり、かつ、前記押さえ部材が前記第１の付箋を押さえていない状態で、前記印刷ヘッドが前記第１の対象画像を前記第１の付箋に印刷するための前記主走査動作を実行不可能な領域である、前記生成処理と、
前記印刷データを前記印刷実行部に供給する供給処理と、
を実行させる、コンピュータプログラム。
【請求項２】
前記第１の所定領域は、前記第１の付箋のサイズと、前記Ｎ個のノズルの個数と、前記副走査方向に沿って隣接する２個のノズルの間の距離と、前記押さえ部材のサイズと、に基づいて特定される領域である、請求項１に記載のコンピュータプログラム。
【請求項３】
前記印刷画像では、前記副走査方向に対応する第１方向において、前記副走査方向の前記上流側に対応する第１側と、前記副走査方向の前記下流側に対応する第２側と、が決められており、
前記印刷画像は、さらに、前記第１の対象画像とは異なる第１の所定画像を含み、
前記第１の所定画像は、前記第１方向において、前記第１の対象画像の前記第２側の端部よりも前記第２側に配置されており、
前記第１方向において、前記第１の所定画像と、前記第１の対象画像の前記第１側の端部と、の間の距離は、前記副走査方向に沿って隣接する２個のノズルの間の距離と、前記印刷ヘッドが前記第１の対象画像を前記第１の付箋に印刷するために必要な前記主走査動作の回数と、に基づく距離である、請求項１又は２に記載のコンピュータプログラム。
【請求項４】
前記印刷画像では、前記副走査方向に対応する第１方向と、前記主走査方向に対応する第２方向と、が決められていると共に、前記第１方向において、前記副走査方向の前記上流側に対応する第１側と、前記副走査方向の前記下流側に対応する第２側と、が決められており、
前記印刷画像は、さらに、前記第１の対象画像とは異なる第２の所定画像を含み、
前記第２の所定画像は、前記第２方向において、前記第１の対象画像とは異なる位置に配置されていると共に、前記第１方向において、前記第１の対象画像の前記第１側の端部と、前記第１の対象画像の前記第２側の端部と、の間の領域に配置されている、請求項１から３のいずれか一項に記載のコンピュータプログラム。
【請求項５】
前記第１の付箋は、接着領域を有する第１付箋端部と、前記副走査方向において記第１付箋端部の反対側の第２付箋端部と、を備え、
前記印刷実行部によって前記台紙が前記副走査方向に沿って搬送される状況において、前記第１付箋端部が前記副走査方向の前記下流側に位置すると共に前記第２付箋端部が前記副走査方向の前記上流側に位置するように、前記第１の付箋は、前記台紙に貼り付けられ、
前記押さえ部材は、前記印刷ヘッドが前記第１の対象画像を前記第１の付箋に印刷するための前記主走査動作を実行する際に、前記第１の付箋のうち、前記第１付箋端部よりも前記副走査方向の上流側の位置を押さえる、請求項１から４のいずれか一項に記載のコンピュータプログラム。
【請求項６】
前記押さえ部材は、搬送される前記印刷媒体のうち、前記主走査方向に沿った複数箇所を押さえることによって、前記印刷ヘッドに近接する方向に突出した凸部分と前記印刷ヘッドから離間する方向に突出した凹部分とが前記主走査方向に沿って交互に並ぶ波形状を前記印刷媒体に形成させるための部材である、請求項１から５のいずれか一項に記載のコンピュータプログラム。
【請求項７】
前記コンピュータプログラムは、前記制御装置に、さらに、
第２の付箋に印刷されるべき第２の対象画像を表わす第２の対象データを取得する第２の取得処理であって、前記印刷実行部によって前記台紙が前記副走査方向に沿って搬送される状況において、前記副走査方向において、前記第１の付箋と前記第２の付箋とが同じ位置に配置されると共に、前記主走査方向において、前記第１の付箋と前記第２の付箋とが異なる位置に配置されるように、前記第１の付箋と前記第２の付箋とは、前記台紙に貼り付けられる、前記第２の取得処理と、
前記生成処理では、前記第２の対象データをさらに利用して、前記第２の付箋への前記第２の対象画像の印刷を前記印刷実行部に実行させるための前記印刷データを生成し、
前記印刷データは、前記第２の対象画像が第２の所定領域に配置されている前記印刷画像を表わし、
前記第２の所定領域は、前記押さえ部材が前記第２の付箋の一部を押さえている状態で、前記印刷ヘッドが前記第２の対象画像を前記第２の付箋に印刷するための前記主走査動作を実行可能な領域であり、かつ、前記押さえ部材が前記第２の付箋を押さえていない状態で、前記印刷ヘッドが前記第２の対象画像を前記第２の付箋に印刷するための前記主走査動作を実行不可能な領域である、請求項１から６のいずれか一項に記載のコンピュータプログラム。
【請求項８】
前記コンピュータプログラムは、前記制御装置に、さらに、
前記台紙に対応する台紙画像を表示部に表示させる表示処理であって、前記台紙画像は、前記第１の所定領域に対応する領域に配置されている入力領域であって、前記第１の対象画像を入力するための前記入力領域を含む、前記表示処理を実行させ、
前記第１の取得処理では、前記台紙画像内の前記入力領域にユーザによって入力される前記第１の対象画像を表わす前記第１の対象データを取得する、請求項１から７のいずれか一項に記載のコンピュータプログラム。
【請求項９】
前記生成処理では、前記印刷ヘッドが前記主走査動作を実行することによって前記第１の対象画像を構成する複数個のドットが前記第１の付箋に形成された後に、前記複数個のドットのうちの前記副走査方向に沿って隣接する２個のドットの間に他のドットが形成されず、かつ、前記複数個のドットのうちの前記主走査方向に沿って隣接する２個のドットの間に他のドットが形成されないように、前記印刷データを生成する、請求項１から８のいずれか一項に記載のコンピュータプログラム。
【請求項１０】
前記生成処理では、前記印刷ヘッドが前記主走査動作を実行することによって前記第１の対象画像を構成する複数個のドットが前記第１の付箋に形成された後に、前記複数個のドットのうちの前記副走査方向に沿って隣接する２個のドットの間に他のドットが形成されるように、及び／又は、前記複数個のドットのうちの前記主走査方向に沿って隣接する２個のドットの間に他のドットが形成されるように、前記印刷データを生成する、請求項１から８のいずれか一項に記載のコンピュータプログラム。
【請求項１１】
貼り付けられた付箋に印刷実行部によって印刷を実行させるための台紙であって、
前記印刷実行部は、
副走査方向に沿って並ぶＮ個（前記Ｎは２以上の整数）のノズルを備える印刷ヘッドと、
前記副走査方向に沿って上流側から下流側に向けて搬送される印刷媒体の一部を押さえるための押さえ部材と、
前記印刷ヘッドに主走査動作を実行させるヘッド駆動部であって、前記主走査動作は、前記印刷ヘッドを、前記副走査方向に直交する主走査方向に沿って移動させつつ、前記印刷ヘッドに、前記印刷媒体に向けてインクを吐出させる動作を含む、前記ヘッド駆動部と、を備え、
前記台紙は、前記付箋が貼り付けられるべき貼付位置を示すガイド画像を備え、
前記貼付位置は、
前記付箋が貼り付けられた状態である前記台紙が前記印刷実行部によって前記副走査方向に沿って搬送される状況において、前記付箋の第１付箋端部であって、接着領域を有する前記第１付箋端部が前記副走査方向の下流側に位置すると共に、前記付箋の前記第１付箋端部の反対側の第２付箋端部が前記副走査方向の上流側に位置するように、かつ、
前記押さえ部材が前記付箋の一部を押さえている状態で、前記印刷ヘッドが前記付箋に向けてインクを吐出させるための前記主走査動作を実行可能であり、かつ、前記押さえ部材が前記付箋を押さえていない状態で、前記印刷ヘッドが前記付箋に向けてインクを吐出させるための前記主走査動作を実行不可能であるように、
決定されている、
台紙。
【発明の詳細な説明】
【技術分野】
【０００１】
本明細書では、印刷実行部が、付箋が貼り付けられた台紙を搬送して、当該付箋に印刷を実行するための技術を開示する。
【背景技術】
【０００２】
特許文献１には、付箋紙に印刷を実行するための付箋紙プリンタが開示されている。付箋紙プリンタは、付箋紙束をセットするセット部と、付箋紙束のうちの１枚の付箋紙を捲り上げた後、その付箋紙の糊付け部を引きはがしながら送り出す付箋紙送り手段と、送り出された付箋紙に印刷を行う印刷手段と、を備える。
【先行技術文献】
【特許文献】
【０００３】
【特許文献１】特開２００７−２０４２６５号公報
【発明の概要】
【発明が解決しようとする課題】
【０００４】
付箋に印刷を行うためには、特許文献１に開示されているような専用の付箋紙プリンタを用意する必要があった。本明細書では、印刷実行部が付箋の印刷のための専用の構成を備えていなくても、印刷実行部に付箋への印刷を適切に実行させ得る技術を提供する。
【課題を解決するための手段】
【０００５】
本明細書では、印刷実行部に印刷を実行させる制御装置のためのコンピュータプログラムを開示する。印刷実行部は、副走査方向に沿って並ぶＮ個（Ｎは２以上の整数）のノズルを備える印刷ヘッドと、副走査方向に沿って上流側から下流側に向けて搬送される印刷媒体の一部を押さえるための押さえ部材と、印刷ヘッドに主走査動作を実行させるヘッド駆動部であって、主走査動作は、印刷ヘッドを、副走査方向に直交する主走査方向に沿って移動させつつ、印刷ヘッドに、印刷媒体に向けてインクを吐出させる動作を含む、ヘッド駆動部と、を備える。コンピュータプログラムは、制御装置に、以下の各処理、即ち、第１の付箋に印刷されるべき第１の対象画像を表わす第１の対象データを取得する第１の取得処理と、第１の対象データを利用して、第１の付箋への第１の対象画像の印刷を印刷実行部に実行させるための印刷データを生成する生成処理であって、第１の付箋は、台紙上に貼り付けられた状態で印刷実行部によって搬送され、印刷データは、第１の対象画像が第１の所定領域に配置されている印刷画像を表わし、第１の所定領域は、押さえ部材が第１の付箋の一部を押さえている状態で、印刷ヘッドが第１の対象画像を第１の付箋に印刷するための主走査動作を実行可能な領域であり、かつ、押さえ部材が第１の付箋を押さえていない状態で、印刷ヘッドが第１の対象画像を第１の付箋に印刷するための主走査動作を実行不可能な領域である、生成処理と、印刷データを印刷実行部に供給する供給処理と、を実行させる。
【０００６】
上記のコンピュータプログラムは、以下の制御装置を実現することができる。即ち、制御装置は、押さえ部材が第１の付箋の一部を押さえている状態で、印刷ヘッドが第１の対象画像を第１の付箋に印刷するための主走査動作を実行するように、かつ、押さえ部材が第１の付箋を押さえていない状態で、印刷ヘッドが当該主走査動作を実行しないように、印刷実行部を制御することができる。従って、印刷実行部は、第１の付箋がカールしていない状態で、第１の付箋へのインクの吐出を実行し得る。このために、印刷実行部が付箋の印刷のための専用の構成を備えていなくても、印刷実行部に付箋への印刷を適切に実行させ得る。
【０００７】
本明細書では、さらに、貼り付けられた付箋に印刷実行部によって印刷を実行させるための台紙を開示する。台紙は、付箋が貼り付けられるべき貼付位置を示すガイド画像を備える。貼付位置は、付箋が貼り付けられた状態である台紙が印刷実行部によって副走査方向に沿って搬送される状況において、付箋の第１付箋端部であって、接着領域を有する第１付箋端部が副走査方向の下流側に位置すると共に、副走査方向において付箋の第１付箋端部の反対側の第２付箋端部が副走査方向の上流側に位置するように、かつ、押さえ部材が付箋の一部を押さえている状態で、印刷ヘッドが付箋に向けてインクを吐出させるための主走査動作を実行可能であり、かつ、押さえ部材が付箋を押さえていない状態で、印刷ヘッドが付箋に向けてインクを吐出させるための主走査動作を実行不可能であるように、決定されている。
【０００８】
この構成によると、ユーザは、台紙内のガイド画像が示す貼付位置に付箋を貼って、当該台紙を印刷実行部にセットすれば、付箋への印刷を実現し得る。ここで、押さえ部材が付箋の一部を押さえている状態で、印刷ヘッドが付箋に向けてインクを吐出させるための主走査動作を実行可能であるように、かつ、押さえ部材が付箋を押さえていない状態で、印刷ヘッドが当該主走査動作を実行不可能であるように、貼付位置が決定されている。従って、印刷実行部は、付箋がカールしていない状態で、付箋へのインクの吐出を実行し得る。このために、印刷実行部が付箋の印刷のための専用の構成を備えていなくても、印刷実行部に付箋への印刷を適切に実行させ得る。
【０００９】
上記の制御装置そのもの、及び、上記の制御装置を実現するための制御方法、及び、上記コンピュータプログラムを記憶するコンピュータ読取可能記録媒体も、新規で有用である。また、上記の制御装置と上記の印刷実行部とを備える印刷システムも、新規で有用である。
【図面の簡単な説明】
【００１０】
【図１】印刷システムの構成を示す。
【図２】印刷エンジンの平面図を示す。
【図３】（ａ）は、印刷エンジンを図２の矢印ＩＩＩａ方向に見た図を示す。（ｂ）は、印刷エンジンを図２の矢印ＩＩＩｂ方向に見た図を示す。
【図４】（ａ）は、図２のＩＶａ−ＩＶａ線断面図を示す。（ｂ）は、図２のＩＶｂ−ＩＶｂ線断面図を示す。
【図５】付箋印刷処理のフローチャートを示す。
【図６】台紙の一例の説明図を示す。
【図７】台紙の他の一例の説明図を示す。
【図８】テンプレート画面の一例を示す。
【図９】第１実施例における１段目の付箋貼付領域の決定手法の説明図を示す。
【図１０】第１実施例における２段目の付箋貼付領域の決定手法の説明図を示す。
【図１１】キャリッジと付箋の位置関係の説明図を示す。
【図１２】第３実施例における２段目の付箋貼付領域の決定手法の説明図を示す。
【図１３】第４実施例における１段目の付箋貼付領域の決定手法の説明図を示す。
【発明を実施するための形態】
【００１１】
（第１実施例）
（印刷システム２の構成；図１）
図１に示されるように、印刷システム２は、プリンタＰＲと端末装置ＴＲとを備える。プリンタＰＲと端末装置ＴＲとは、ＬＡＮ４を介して相互に通信可能である。
【００１２】
（プリンタＰＲの構成）
プリンタＰＲは、ネットワークインターフェース１２と、制御部２０と、印刷エンジンＰＥと、を備える。以下、インターフェースのことを「Ｉ／Ｆ」と記載する場合がある。ネットワークＩ／Ｆ１２は、ＬＡＮ４に接続されている。制御部２０は、図示省略のＣＰＵ及びメモリを備えており、印刷エンジンＰＥに印刷を実行させるための様々な処理を実行する。印刷エンジンＰＥは、印刷ヘッドＰＨと、ヘッド駆動部ＡＵと、シート搬送部ＴＵと、シート押さえ部ＳＰと、を備える。
【００１３】
（印刷エンジンＰＥの構成；図２〜図４）
図２〜図４は、印刷エンジンＰＥの構成を示す。図２は、印刷エンジンＰＥの一部の平面図を示し、印刷エンジンＰＥ内における印刷ヘッドＰＨの位置を破線で示す。図２では、シートＳへの印刷が実行される際に印刷ヘッドＰＨが移動する紙面左右方向が主走査方向であり、シートＳへの印刷が実行される際にシートＳが移動する紙面下方向が副走査方向である。主走査方向は副走査方向と直交する。
【００１４】
印刷ヘッドＰＨは、複数個のノズルＮ１，ＮＥ等を備える。各ノズルＮ１，ＮＥ等は、副走査方向に沿って一直線上に等間隔で並んでいる。ノズルＮ１、ノズルＮＥは、それぞれ、副走査方向の最上流側、最下流側に配置されているノズルである。
【００１５】
ヘッド駆動部ＡＵは、キャリッジ６０を備える。キャリッジ６０には、印刷ヘッドＰＨが搭載されている。ヘッド駆動部ＡＵは、さらに、印刷ヘッドＰＨを駆動させるための駆動回路と、キャリッジ６０を搬送するための搬送体と、を備える（これらは図示省略）。駆動回路は、制御部２０の指示に従って印刷ヘッドＰＨに駆動信号を供給する。これにより、印刷ヘッドＰＨ内の各ノズルＮ１，ＮＥ等からインク滴が吐出される。搬送体は、モータ、ベルト、プーリ等（図示省略）を含み、制御部２０の指示に従って、キャリッジ６０を主走査方向に往復移動させる。
【００１６】
本実施例では、印刷ヘッドＰＨは、主走査方向に沿った１回の往復移動のうちの往路の移動を実行しつつ、シートＳに向けてインクを吐出するが、復路の移動を実行しつつ、シートＳに向けてインクを吐出しない。以下では、印刷ヘッドＰＨが往路の移動を実行しつつインクを吐出する動作のことを「主走査動作」と呼ぶ。また、以下では、主走査動作のことを簡単に「パス（path）」と呼ぶ場合もある。変形例では、印刷ヘッドＰＨは、主走査方向に沿った１回の往復移動のうちの往路の移動を実行しつつ、シートＳに向けてインクを吐出するとともに、当該１回の往復移動のうちの復路の移動を実行しつつ、シートＳに向けてインクを吐出してもよい。この場合、印刷ヘッドＰＨが往路の移動を実行しつつインクを吐出することによって、１回のパスが実行され、印刷ヘッドＰＨが復路の移動を実行しつつインクを吐出することによって、１回のパスが実行される。
【００１７】
シート搬送部ＴＵは、１個の給紙ローラ対４０と、プラテン４２と、複数本のリブ４４と、複数個の排紙ローラ対４６と、を備える。給紙ローラ対４０は、主走査方向におけるシートＳの長さよりも長い一対のローラによって構成されている。図４（ａ）及び（ｂ）に示すように、給紙ローラ対４０は、シートＳを挟んで副走査方向に搬送する。プラテン４２は、印刷ヘッドＰＨと対向するように配置されている。各リブ４４は、プラテン４２の上面から上方に伸びるように構成されている。図２に示すように、各リブ４４は、主走査方向において等間隔に配置されている。副走査方向において、各リブ４４の上流側の端部の位置は、プラテン４２の上流側の端部の位置に一致し、各リブ４４の下流側の端部の位置は、プラテン４２の下流側の端部の位置よりも上流側である。
【００１８】
各排紙ローラ対４６は、主走査方向において等間隔に配置されている。特に、主走査方向において、各排紙ローラ対４６の位置は、各リブ４４の位置に一致する。図４（ａ）及び（ｂ）に示すように、各排紙ローラ対４６は、一対のローラによって構成され、シートＳを挟んで副走査方向に搬送する。
【００１９】
シート押さえ部ＳＰは、複数個のコルゲートプレート７０と、複数個のコルゲート拍車４８、５０と、を備える。図２に示すように、各プレート７０は、主走査方向において等間隔に配置されている。特に、主走査方向において、各プレート７０の位置は、各リブ４４の位置とは異なる。即ち、隣接する２本のリブ４４の間に１個のプレート７０が位置するように、各プレート７０が配置されている。図３（ａ）に示すように、各プレート７０の下面は、各リブ４４の上面よりも下方に位置する。この様子は、図４（ａ）及び（ｂ）にも示されている。
【００２０】
図２に示されるように、副走査方向において、排紙ローラ対４６の下流側に複数個のコルゲート拍車４８が配置されており、当該拍車４８のさらに下流側に複数個のコルゲート拍車５０が配置されている。各拍車４８及び各拍車５０は、主走査方向において等間隔に配置されている。特に、主走査方向において、各拍車４８の位置及び各拍車５０の位置は、各コルゲートプレート７０の位置に一致する。図３（ｂ）に示すように、各拍車４８の下端は、排紙ローラ対４６のうちの下側のローラの上端よりも下方に位置する。この様子は、図４（ａ）及び（ｂ）にも示されている。また、各拍車５０も、排紙ローラ対４６のうちの下側のローラの上端よりも下方に位置する。
【００２１】
上記の構成を備える印刷エンジンＰＥでは、シート搬送部ＴＵがシートＳを副走査方向に搬送させつつ、ヘッド駆動部ＡＵが主走査動作を印刷ヘッドＰＨに実行させることによって、シートＳへの印刷を実現することができる。特に、シート押さえ部ＳＰが設けられているので、図３（ａ）及び（ｂ）に示すように、シートＳは、各コルゲートプレート７０及び各コルゲート拍車４８、５０によって上方から押さえられるとともに、各リブ４４によって下方から支持されることによって曲げられる。これにより、シートＳは、印刷ヘッドＰＨに近接する方向（即ち上方）に突出した凸部分Ｓａと、印刷ヘッドＰＨから離間する方向（即ち下方）に突出した凹部分Ｓｂと、が主走査方向に沿って交互に並ぶ波形状に変形する。シートＳがこのような波形状に変形されることにより、給紙ローラ対４０と排紙ローラ対４６との間でシートＳの副走査方向の両端部が上方に向かって浮き上がる（即ちシートＳが副走査方向に沿ってカールする）ことが防止される。これにより、給紙ローラ対４０と排紙ローラ対４６との間に配置されている印刷ヘッドＰＨは、副走査方向に沿ってカールしていないシートＳの部分に対してインクを吐出することができ、この結果、目的の位置にインクを適切に着弾させることができる。
【００２２】
（端末装置ＴＲの構成；図１）
図１に示すように、端末装置ＴＲは、ネットワークＩ／Ｆ１０２と、操作部１０４と、表示部１０６と、制御部１２０と、を備える。ネットワークＩ／Ｆ１０２は、ＬＡＮ４に接続されている。操作部１０４は、マウスとキーボードとを備える。ユーザは、操作部１０４を操作することによって、様々な指示を端末装置ＴＲに入力することができる。表示部１０６は、様々な画面を表示するためのディスプレイである。
【００２３】
制御部１２０は、ＣＰＵ１２２とメモリ１２４とを備える。ＣＰＵ１２２は、メモリ１２４に記憶されている図示省略のＯＳプログラム、プリンタドライバ１２６等に従って、様々な処理を実行する。プリンタドライバ１２６は、印刷対象の印刷画像を表わす印刷データを生成して、当該印刷データをプリンタＰＲに供給するためのプログラムである。プリンタドライバ１２６は、例えば、プリンタＰＲと共に出荷されるコンピュータ読取可能記録媒体から端末装置ＴＲにインストールされてもよいし、インターネット上のサーバから端末装置ＴＲにインストールされてもよい。メモリ１２４は、さらに、複数種類のテンプレートデータを含むテンプレートデータ群１２８を記憶している。当該テンプレートデータ群１２８は、プリンタドライバ１２６と共に端末装置ＴＲにインストールされる。テンプレートデータ群１２８は、後述の付箋印刷処理（図５参照）において利用されるデータである。
【００２４】
（付箋印刷処理；図５）
図５を参照して、ＣＰＵ１２２がプリンタドライバ１２６に従って実行する付箋印刷処理の内容を説明する。付箋印刷処理は、後述の台紙ＭＢ（図６、図７参照）に貼り付けられた付箋への印刷をプリンタＰＲに実行させるための処理である。ユーザは、操作部１０４を操作して、付箋印刷処理を実行するための所定の指示を入力する。この場合、ＣＰＵ１２２は、図５の処理を開始する。
【００２５】
Ｓ１０では、ＣＰＵ１２２は、付箋サイズが選択されることを監視する。ユーザは、操作部１０４を操作して、複数種類の付箋のサイズから、所望のサイズを選択する。この場合、ＣＰＵ１２２は、Ｓ１０でＹＥＳと判断し、Ｓ１２に進む。ここで、複数種類の付箋のサイズは、第１のサイズ（例えば図６の付箋ＦＳ）と、第１のサイズとは異なる第２のサイズ（例えば図７の付箋ＦＳ）と、を含む。第１のサイズは、例えば縦７５ｍｍ、横２５ｍｍである。第２のサイズは、例えば縦５０ｍｍ、横５０ｍｍである。
【００２６】
Ｓ１２では、ＣＰＵ１２２は、メモリ１２４内のテンプレートデータ群１２８の中から、Ｓ１０で選択された付箋サイズに対応するテンプレートデータ（以下では「特定のテンプレートデータ」と呼ぶ）を読み出す。そして、ＣＰＵ１２２は、特定のテンプレートデータに対応する台紙ＭＢ（図６、図７参照）を印刷するための所定の指示画面を表示部１０６に表示させる。
【００２７】
Ｓ１４では、ＣＰＵ１２２は、所定の指示画面において台紙ＭＢを印刷するための指示が入力されることを監視する。ユーザによって当該指示が入力されると、ＣＰＵ１２２は、Ｓ１４でＹＥＳと判断してＳ１６に進む。
【００２８】
Ｓ１６では、ＣＰＵ１２２は、特定のテンプレートデータに対応する台紙画像を表わす台紙データをプリンタＰＲに供給する。この結果、プリンタＰＲは、台紙データによって表わされる台紙画像を例えばＡ４等の所定サイズを有するシートＳに印刷する。これにより、台紙ＭＢをユーザに提供することができる。
【００２９】
ここで、図６、図７を参照して台紙ＭＢについて説明する。図６、図７の紙面上方が、プリンタＰＲが台紙ＭＢを搬送する際の搬送方向（即ち副走査方向）に対応する。即ち、紙面左右方向が、主走査方向に対応する。図６は、図５のＳ１０で第１のサイズを有する付箋が選択された場合に、Ｓ１６の台紙データに従って印刷される台紙ＭＢを示す。また、図７は、図５のＳ１０で第１のサイズとは異なる第２のサイズを有する付箋が選択された場合に、Ｓ１６の台紙データに従って印刷される台紙ＭＢを示す。
【００３０】
図６に示されるように、台紙ＭＢは、シートＳに印刷された複数個のガイド枠ＧＦ及びメッセージ２１０を含む。なお、図６では、符号２０２ａ、２０２ｂ、２０４ａ、２０４ｂによって示される画像が台紙ＭＢに印刷されているように見えるが、これらの画像は台紙ＭＢに印刷されない。
【００３１】
各ガイド枠ＧＦは、第１のサイズを有する付箋の貼付位置を示す。各ガイド枠ＧＦの位置及び大きさは、特定のテンプレートデータにおいて予め決められている。各ガイド枠ＧＦの大きさは、付箋のサイズ（即ち第１のサイズ）と同じである。各ガイド枠ＧＦの位置の特定手法は後で説明する。
【００３２】
複数個のガイド枠ＧＦは、上側に配置されていると共に左右方向に等間隔に配置されている２個以上（図６の例では３個）のガイド枠ＧＦと、下側に配置されていると共に左右方向に等間隔に配置されている２個以上のガイド枠ＧＦと、を含む。以下では、前者のガイド枠ＧＦのことを「１段目のガイド枠」と呼び、後者のガイド枠ＧＦのことを「２段目のガイド枠」と呼ぶ。左右方向において、１段目の各ガイド枠の位置と、２段目の各ガイド枠の位置と、は一致する。なお、以下では、ガイド枠のみならず、付箋等についても、１段目、２段目という用語を付して説明することがある。
【００３３】
図６は、各ガイド枠ＧＦに各付箋ＦＳが貼り付けられている様子を示す。メッセージ２１０は、付箋ＦＳ内の接着領域（即ち糊が付されている領域）３００がガイド枠ＧＦ内の上端部に位置する状態で、付箋ＦＳをガイド枠ＧＦ内に貼り付けるように、ユーザに促すためのメッセージを含む。従って、プリンタＰＲにおいて台紙ＭＢが副走査方向に搬送される場合に、付箋ＦＳ内の接着領域３００が副走査方向の下流側に配置されるとともに、接着領域３００と反対側の付箋ＦＳ内の端部が副走査方向の上流側に配置される。
【００３４】
破線で示される符号ＰＨ１〜ＰＨ５は、プリンタＰＲが台紙ＭＢに貼り付けられた付箋ＦＳに印刷を実行する状況において、１〜５回目のパスを実行する際の印刷ヘッドＰＨの位置を示す。より正確に言うと、ＰＨ１〜ＰＨ５のそれぞれの副走査方向の長さは、最上流ノズルＮ１から最下流ノズルＮＥまでを利用して１回のパスで印刷可能な長さを示す。また、破線で示される符号７０ａ〜７０ｅは、印刷ヘッドＰＨが１〜５回目のパスを実行する際の１個のコルゲートプレート７０の下面の位置（即ち押さえ位置）を示す。そして、一点鎖線で示される符号Ｒは、各付箋ＦＳ内において画像が印刷されるべき領域（以下では「印刷領域Ｒ」と呼ぶ）を示す。印刷領域Ｒの長辺の長さ、短辺の長さは、それぞれ、付箋ＦＳの長辺の長さ、短辺の長さより小さい。印刷ヘッドＰＨが印刷領域Ｒに印刷を実行する際には、付箋ＦＳの一部がコルゲートプレート７０によって押さえられる。例えば、印刷ヘッドＰＨが１回目のパスを実行する際（ＰＨ１参照）には、プレート７０は、１段目の付箋ＦＳの中央部を押さえる（７０ａ参照）。即ち、プレート７０は、当該付箋ＦＳ内の接着領域３００よりも副走査方向の上流側（即ち図６の下側）を押さえる。そして、印刷ヘッドＰＨは、プレート７０の押さえ位置（即ち７０ａの位置）よりも副走査方向の下流側を通過する。従って、当該付箋ＦＳ内の印刷ヘッドＰＨが通過する部分（即ち、接着領域３００と符号７０ａとの間の部分）が、印刷ヘッドＰＨに向かってカールしていない状態で、当該部分への印刷を適切に実行することができる。また、印刷ヘッドＰＨが２回目のパスを実行する際（ＰＨ２参照）には、コルゲートプレート７０は、１段目の付箋ＦＳの下側の端部を押さえる（７０ｂ参照）。このように、本実施例では、付箋ＦＳへの印刷のためのパスが実行される際には、コルゲートプレート７０は、当該付箋ＦＳの一部を押さえる。そして、コルゲートプレート７０が付箋ＦＳを押さえていない状態では、当該付箋ＦＳへの印刷のためのパスが実行されない。例えば、印刷ヘッドＰＨが３回目のパスを実行する際（ＰＨ３参照）には、コルゲートプレート７０は、１段目の付箋ＦＳを押さえない（図中７０ｂ参照）。この状態では、当該付箋ＦＳが印刷ヘッドＰＨに向かってカールし得るが、そのような状態で当該付箋ＦＳへの印刷のためのパス（即ち当該付箋ＦＳへのインクの吐出）が実行されない。
【００３５】
また、コルゲートプレート７０は、付箋ＦＳ内の接着領域３００よりも副走査方向の上流側の部分を押さえる。これにより、印刷ヘッドＰＨがパスを実行する際に、付箋ＦＳの一部（特に、接着領域３００と反対側の端部）が浮き上がり、付箋ＦＳが印刷ヘッドＰＨに接触する事態の発生も防止される。これにより、印刷ヘッドＰＨに付着しているインクによって付箋ＦＳが汚れることが防止される。
【００３６】
図７の台紙ＭＢでは、ガイド枠ＧＦの大きさ及び位置が図６の台紙ＭＢとは異なる。図７の台紙ＭＢが利用される場合も、図６の台紙ＭＢが利用される場合と同様に、印刷ヘッドＰＨがパスを実行する際には、付箋ＦＳの一部がコルゲートプレート７０によって押さえられる。ただし、図７の台紙ＭＢが利用される場合は、１枚の付箋ＦＳが、２個のコルゲートプレート７０によって同時に押さえられる。従って、付箋ＦＳが印刷ヘッドＰＨに向かってカールしていない状態で、印刷ヘッドＰＨが付箋ＦＳへのインクの吐出を実行することができる。また、付箋ＦＳが印刷ヘッドＰＨに接触する事態の発生も防止される。
【００３７】
上記の通り、図５のＳ１６の処理が実行されて、台紙ＭＢ（図６、図７参照）がユーザに提供されると、ユーザは、台紙ＭＢの各ガイド枠ＧＦが示す位置に各付箋ＦＳを貼り付けることができる。そして、ユーザは、付箋ＦＳが貼り付けられた台紙ＭＢをプリンタＰＲにセットすることができる。
【００３８】
図５のＳ１８では、ＣＰＵ１２２は、特定のテンプレートデータに対応するテンプレート画面を表示部１０６に表示させる。図８は、Ｓ１８で表示されるテンプレート画面４００の一例を示す。テンプレート画面４００は、台紙ＭＢの枠に対応する枠画像４０１と、複数個の入力領域４０２と、印刷実行ボタン４０４と、を含む。各入力領域４０２は、付箋ＦＳに印刷されるべき対象画像を入力するための領域である。枠画像４０１の縦横比は、Ｓ１６で印刷される台紙ＭＢの縦横比に一致しており、枠画像４０１と各入力領域４０２との間の位置関係は、台紙ＭＢと各ガイド枠ＧＦとの間の位置関係に等しい。ユーザは、操作部１０４を操作して、入力領域４０２に対象画像（例えば所望の文字列）を入力することができる。ここで、ユーザは、各入力領域４０２に同じ対象画像を入力することもできるし、異なる対象画像を入力することもできる。対象画像は、文字列でもよいし、写真等でもよいし、それらの組合せでもよい。なお、ユーザは、対象画像の向きも指定することもできる。各入力領域４０２に各対象画像が入力されると、ＣＰＵ１２２は、各対象画像を表わす各対象画像データを取得することができる。
【００３９】
Ｓ２０では、ＣＰＵ１２２は、付箋印刷指示が入力されることを監視する。ユーザは、少なくとも１枚の付箋ＦＳが貼り付けられた台紙ＭＢをプリンタＰＲにセットし、テンプレート画面４００内の印刷実行ボタン４０４を選択する。この場合、ＣＰＵ１２２は、付箋印刷指示が入力されたと判断して（Ｓ２０でＹＥＳ）、Ｓ２２に進む。
【００４０】
Ｓ２２では、ＣＰＵ１２２は、印刷データ５００を生成する。ＣＰＵ１２２は、まず、台紙ＭＢと同じサイズを有する白色のシートに対応する白色のベタ画像を表わすベタ画像データを生成し、当該ベタ画像データにＳ２０で取得された各対象画像データを合成することによって、合成データを生成する。ここで、プリンタドライバ１２６では、Ｓ１０で選択された付箋のサイズに応じて、ベタ画像データ内のどの位置に対象画像データを合成すべきかが予め決められている。具体的には、上記のベタ画像内での各対象画像の位置関係が、台紙ＭＢ内での各印刷領域Ｒの位置関係に一致するように、対象画像データが合成されるべきベタ画像データ内の位置が決められている。合成データは、複数個の画素データを含み、各画素データは、多階調（例えば２５６階調）のＲＧＢ値を示す。
【００４１】
次いで、ＣＰＵ１２２は、上記の合成データに対して色変換処理を実行して、ＣＭＹＫ画像データを生成する。当該ＣＭＹＫ画像データは、複数個の画素データ（即ち上記の印刷画像データと同じ数の画素データ）を含み、各画素データは多階調（例えば２５６階調）のＣＭＹＫ値を示す。
【００４２】
次いで、ＣＰＵ１２２は、上記のＣＭＹＫ画像データに対してハーフトーン処理（例えば誤差拡散法、ディザ法等の処理）を実行して、二値データを生成する。当該二値データは、複数個の画素データ（即ち上記のＣＭＹＫ画像データと同じ数の画素データ）を含み、各画素データは、２階調（即ち「１」又は「０」）のＣＭＹＫ値を含む。画素データ「１」は、ドットＯＮ（即ちインクの吐出）を示し、画素データ「０」は、ドットＯＦＦ（即ちインクの不吐出）を示す。本実施例では、印刷ヘッドＰＨに形成されているノズルＮ１等（図２参照）が、ブラック（Ｋ）のインク滴を吐出することによってドットを形成する。このため、二値データ内の各画素データは、Ｋ＝「１」又はＫ＝「０」によって構成される。ただし、ノズルＮ１等以外にも、例えば、ＣＭＹに対応するノズル群が設けられている場合には、二値データ内の各画素は、Ｋに対応する値のみならず、ＣＭＹに対応する値も含む。また、本実施例では、「１」又は「０」を示す２階調のデータが生成されるが、変形例では、３階調以上のデータが生成されてもよい。例えば、大ドットＯＮ、中ドットＯＮ、小ドットＯＮ、及び、ドットＯＦＦの４階調のデータが生成されてもよい。
【００４３】
次いで、ＣＰＵ１２２は、上記の二値データに基づいて、印刷データ５００を生成する。印刷データ５００は、複数個のパスデータを含む。１個のパスデータが１回のパス（即ち１回の主走査動作）に対応する。各パスデータでは、複数個のノズルＮ１，ＮＥのそれぞれについて、当該ノズルと、二値データ内の各画素データと、が対応付けられている。例えば、Ｓ２２内に示される１パス目のパスデータでは、ノズルＮ１に対応付けられている各画素データは、左から順に、「１」、「０」、「０」等を示す。これは、１回目のパスの過程で、ノズルＮ１から、インク滴の吐出、不吐出、不吐出が順に実行されることを意味する。各パスデータは、さらに、台紙ＭＢの副走査方向の搬送量を示す搬送量データを含む。例えば、１パス目のパスデータは、搬送量ＰＬを示す搬送量データを含む。これは、１回目のパスが実行される前に、台紙ＭＢが副走査方向に沿って搬送量ＰＬだけ搬送されることを意味する。
【００４４】
本実施例では、プリンタＰＲは、いわゆる１パス印刷を実行する。１パス印刷は、印刷ヘッドＰＨが１回のパスを実行することによって対象画像を構成する複数個のドットが付箋ＦＳに形成された後に、当該複数個のドットのうちの副走査方向に沿って隣接する２個のドットの間に他のドットが形成されず、かつ、当該複数個のドットのうちの主走査方向に沿って隣接する２個のドットの間に他のドットが形成されない印刷手法である。１パス印刷を実現するための搬送量ＰＬは、Ｎノズルピッチである。ここで、「Ｎ」は、１色（例えばＫ）のインクを吐出するための各ノズルの合計個数である。また、ノズルピッチは、印刷ヘッドＰＨにおいて副走査方向に沿って隣接する２個のノズルの間の距離である。
【００４５】
続くＳ２４では、ＣＰＵ１２２は、Ｓ２２で生成された印刷データ５００をプリンタＰＲに供給する。これにより、プリンタＰＲの制御部２０は、印刷データ５００に従って、シート搬送部ＴＵとヘッド駆動部ＡＵとを制御する。具体的には、制御部２０は、まず、プリンタＰＲにセットされた台紙ＭＢを所定の印刷開始位置までシート搬送部ＴＵに搬送させる。そして、制御部２０は、印刷データ５００内のパスデータを順次利用して、搬送量データに従った台紙ＭＢの搬送をシート搬送部ＴＵに実行させ、各画素データに従った印刷ヘッドＰＨのパスをヘッド駆動部ＡＵに実行させる。これにより、台紙ＭＢ内の印刷領域Ｒに対象画像が配置された印刷画像が台紙ＭＢに印刷される。即ち、付箋ＦＳに対象画像が印刷される。
【００４６】
上記の通り、台紙ＭＢを用いてプリンタＰＲに印刷を実行させる場合、印刷ヘッドＰＨが付箋ＦＳの印刷領域Ｒに対してパスを実行する際には、付箋ＦＳの一部がコルゲートプレート７０によって押さえられる（図６参照）。これにより、付箋ＦＳが印刷ヘッドＰＨに向かってカールしていない状態で、付箋ＦＳへのインクの吐出を実行することができる。また、印刷ヘッドＰＨがパスを実行する際に、付箋ＦＳの一部が浮き上がり、付箋ＦＳが印刷ヘッドＰＨに接触する事態の発生も防止される。副走査方向におけるシートＳの両端部のカールを防止するためのコルゲートプレート７０を付箋ＦＳの押さえ部材として利用できるために、付箋ＦＳを押さえるための専用の押さえ部材が必要ない。従って、プリンタＰＲが付箋の印刷のための専用の構成を備えていなくても、付箋ＦＳへの印刷を適切に実現することができる。
【００４７】
また、本実施例では、台紙ＭＢは、主走査方向及び副走査方向のそれぞれについて、複数枚の付箋ＦＳを並べて貼り付け可能な構成を有する。従って、１枚の台紙ＭＢに貼り付けられた複数枚の付箋ＦＳのそれぞれに対象画像の印刷を適切に実行することができる。
【００４８】
（付箋貼付領域（ガイド枠ＧＦの位置）の決定手法；図９〜図１１）
上記の通り、本実施例では、台紙ＭＢの各ガイド枠ＧＦの位置（即ち付箋貼付領域）は、テンプレートデータ毎に予め決められている。そして、各テンプレートデータはベンダによって予め生成されている。以下では、ベンダが、付箋貼付領域を決定する手法について説明する。
【００４９】
図９を参照して、１段目の付箋貼付領域の決定方法を説明する。まず、ベンダは、台紙ＭＢの副走査方向（図９の上下方向）の下流端から上流側に所定の余白に相当する距離だけ離れた位置に起点ＳＡ１を定める。次いで、ベンダは、図９内の式（１）が成立するｎの値を決定する。式（１）において、ＦＬは、付箋ＦＳの副走査方向の長さ（即ち長方形の付箋ＦＳの長辺の長さ）である。ＰＬは、１パス毎の搬送量であり、本実施例では、Ｎノズルピッチである。ＵＭは、コルゲートプレート７０による付箋ＦＳの押さえ長であり、予め決められている長さである。ｎは、１段目の付箋ＦＳへの印刷に必要なパス数（即ち主走査動作の回数）に相当する。
【００５０】
ベンダは、式（１）が成立するｎの値を決定すると、式（１）の右辺である「ＰＬ＊ｎ＋ＵＭ」の値を算出する。そして、ベンダは、上記の起点ＳＡ１から算出済みの値だけ副走査方向の上流側に離れた位置を、１段目の付箋貼付領域の下流端Ａ１として特定する。また、各付箋貼付領域の副走査方向の長さは、付箋ＦＳの副走査方向の長さ（即ちＦＬ）に一致する。
【００５１】
例えば、ＦＬが７５ｍｍ、ＰＬが３５ｍｍ、ＵＭが１０ｍｍである具体例を想定する。この場合、式（１）が成立するｎの値は２であり、式（１）の右辺の値は８０（ｍｍ）である。ベンダは、起点ＳＡ１から８０ｍｍだけ上流側に離れた位置を、１段目の付箋貼付領域の下流端Ａ１として決定する。
【００５２】
次いで、ベンダは、主走査方向における各コルゲートプレート７０の間隔と、付箋ＦＳの主走査方向の長さ（即ち長方形の付箋ＦＳの短辺の長さ）と、に基づいて、１段目の各付箋貼付領域の主走査方向（図９の左右方向）の位置を決定する。即ち、各コルゲートプレート７０が主走査方向における各付箋ＦＳの中央部を押さえるように、各付箋貼付領域の主走査方向の位置を決定する。また、各付箋貼付領域の主走査方向の長さは、付箋ＦＳの主走査方向の長さ（即ち長方形の付箋ＦＳの短辺の長さ）に一致する。ここで、付箋ＦＳの主走査方向の長さが、隣接する２個のコルゲートプレート７０の間隔よりも長い場合（図７参照）には、ベンダは、隣接する２個のコルゲートプレート７０のそれぞれが、主走査方向における各付箋ＦＳの中央部から同じ距離だけ離れた部分を押さえるように、各付箋貼付領域の主走査方向の位置を決定する。
【００５３】
ベンダは、さらに、各付箋貼付領域について、対象画像が配置されるべき印刷領域Ｒを決定する。具体的には、ベンダは、まず、「ＦＬ−ＵＭ」（例えば上記の例では７５−１０＝６５ｍｍ）を算出して、印刷領域Ｒを配置可能な配置領域Ｄの副走査方向の長さを決定する。配置領域Ｄの主走査方向の長さは、付箋ＦＳの主走査方向の長さ（即ち長方形の付箋ＦＳの短辺の長さ）に一致する。そして、ベンダは、付箋貼付領域の下流端と配置領域Ｄの下流端とが一致し、かつ、付箋貼付領域の主走査方向の両端と配置領域Ｄの主走査方向の両端とが一致するように、ハッチングで示されるような配置領域Ｄを決定する。
【００５４】
次いで、ベンダは、配置領域Ｄよりも一回り小さい印刷領域Ｒを配置領域Ｄの内部に決定する。即ち、印刷領域Ｒの主走査方向の両端のそれぞれの位置は、配置領域Ｄの主走査方向の両端のそれぞれから所定値ｔ１だけ内側の位置である。また、印刷領域Ｒの副走査方向の両端のそれぞれの位置は、配置領域Ｄの副走査方向の両端のそれぞれから所定値ｔ２だけ内側の位置である。
【００５５】
次いで、図１０を参照して、２段目の付箋貼付領域の決定方法を説明する。まず、ベンダは、図１０内の式（２−１）が成立するｍの値を決定する。式（２−１）において、ＦＬ，ＰＬ，ＵＭ，ｎは、図９と同様である。ｍは、１段目の付箋ＦＳ及び２段目の付箋ＦＳの双方の印刷を完了させるために必要な合計パス数に相当する。ＳＬは、１段目の付箋ＦＳと２段目の付箋ＦＳとの間の副走査方向の最小スペースに相当し、式（２−２）によって算出される値である。図１１（ａ）に示すように、ＳＬは、印刷ヘッドＰＨが取り付けられているキャリッジ６０のマージンＳＭ以上である必要がある。仮に、ＳＬがＳＭより小さいと、図１１（ｂ）の比較例に示すように、２段目の付箋ＦＳへの印刷実行時に、１段目の付箋ＦＳの端部が浮き上がり、当該浮き上がった端部とキャリッジ６０が接触する可能性があるためである。従って、ベンダは、式（２−２）によって算出されるＳＬがＳＭよりも小さい場合には、ＳＭに一致する値をＳＬとして利用して、式（２−１）に従って、ｍの値を算出する。
【００５６】
ベンダは、ｍの値を算出すると、式（２−１）の右辺である「ＰＬ＊ｍ＋ＵＭ」の値を算出する。そして、ベンダは、上記の起点ＳＡ１から算出済みの値だけ上流側に離れた位置を、２段目の付箋貼付領域の副走査方向の下流端Ａ２として特定する。
【００５７】
例えば、上記の具体例では、ＦＬが７５ｍｍ、ＰＬが３５ｍｍ、ＵＭが１０ｍｍ、ｎが２である。さらに、ＳＭは５ｍｍである。この場合、上記のＳＬの値は２５（ｍｍ）である。そして、上記の式（２−１）が成立するｍの値は５であり、式（２−１）の右辺である「ＰＬ＊ｍ＋ＵＭ」の値は１８５（ｍｍ）である。ベンダは、起点ＳＡ１から上流側に１８５ｍｍだけ離れた位置を、２段目の付箋貼付領域の副走査方向の下流端Ａ２として特定する。
【００５８】
２段目の付箋貼付領域の主走査方向の位置は、１段目の付箋貼付領域の主走査方向の位置と同じである。また、ベンダは、１段目の付箋貼付領域の場合と同様に、２段目の付箋貼付領域の印刷領域Ｒを決定する。
【００５９】
ベンダは、２段目の付箋貼付領域を決定する手法と同様の手法に従って、３段目以降の付箋貼付領域を決定することができる。ただし、３段目以降の付箋貼付領域を決定すべきか否かは、付箋のサイズ及び台紙のサイズに応じて決定される。例えば、図６、図７の台紙ＭＢの例のように、３段目以降の付箋ＦＳを配置するスペースがない場合には、ベンダは、３段目以降の付箋貼付領域を決定しない。
【００６０】
ベンダは、上記の手法によって各付箋貼付領域を決定すると、各付箋貼付領域を示す各ガイド枠ＧＦと、メッセージ２１０の画像（図６、図７参照）と、を含む台紙画像を表わす台紙データを生成することができる。ベンダは、様々な付箋のサイズについて、上記と同様に台紙データを生成して、この結果、複数個の台紙データを含むテンプレートデータ群１２８が生成される。このようなテンプレートデータ群１２８を利用して台紙ＭＢが印刷される（図５のＳ１６）。また、ベンダは、上記のように決定された印刷領域Ｒに対象画像が配置されている印刷画像を表わす印刷データが生成されるように（図５のＳ２２）、プリンタドライバ１２６を準備する。この結果、コルゲートプレート７０が台紙ＭＢに貼り付けられている付箋ＦＳの一部を押さえている状態で、付箋ＦＳに対する印刷をプリンタＰＲに適切に実行させることができる。
【００６１】
（対応関係）
印刷エンジンＰＥ、制御部１２０、プリンタドライバ１２６が、それぞれ、「印刷実行部」、「制御装置」、「コンピュータプログラム」の一例である。コルゲートプレート７０が「押さえ部材」の一例である。台紙ＭＢの貼り付けられる複数枚の１段目の付箋ＦＳが「第１の付箋」及び「第２の付箋」の一例である。そして、複数枚の１段目の付箋ＦＳのそれぞれの印刷領域Ｒが「第１の所定領域」及び「第２の所定領域」の一例である。テンプレート画面４００が、「台紙画像」の一例である。
【００６２】
（第２実施例）
第２実施例では、プリンタＰＲは、いわゆる先頭スキップ機能を備える。先頭スキップ機能は、プリンタＰＲが、印刷画像のうちの副走査方向の上流端部に空白が存在する場合に、空白でない対象画像が配置されている位置までシートＳを搬送し（即ち先頭の空白部分をスキップし）、対象画像が配置されている位置から印刷ヘッドＰＨの主走査動作を開始する機能である。
【００６３】
本実施例でも、ベンダは、第１実施例と同様の手法によって各付箋貼付領域を決定する（図９〜図１０参照）。ただし、ベンダは、図５のＳ２２で合成データ（即ちベタ画像データに対象画像データが合成された合成データ）を生成する際に、図９の起点ＳＡ１の位置にパス先頭画像２０２ａ（図６、図７参照）を表わすパス先頭データを合成するように、プリンタドライバ１２６を準備する。従って、Ｓ２２で生成される印刷データ５００に従って印刷が実行されると、図６、図７に示されるように、パス先頭画像２０２ａが台紙ＭＢに印刷される。ここで、印刷データ５００によって表される印刷画像では、副走査方向に対応する第１方向（即ち図６、図７の上下方向）と、主走査方向に対応する第２方向（即ち左右方向）と、が決められている。そして、第１方向において、副走査方向の上流側に対応する第１側（即ち下側）と、副走査方向の下流側に対応する第２側（即ち上側）と、が決められている。そして、パス先頭画像２０２ａは、第１方向において、対象画像の第２側の端部（即ち印刷領域Ｒの第２側の端部）よりも第２側（即ち上側）に配置されている。より詳しく言うと、パス先頭画像２０２ａは、印刷データ５００に従って１パス目の主走査動作が行われる際に、最下流ノズルＮＥによって印刷される位置に配置される。即ち、印刷データ５００に含まれる１パス目のパスデータでは、ノズルＮＥに対応付けられている各画素データのうちの少なくとも１個が「１」を示す。
【００６４】
図９及び図１０の手法では、所定の余白を考慮して起点ＳＡ１が決定されるが、仮に、先頭スキップ機能が実行されると、起点ＳＡ１に対応する位置から１回目のパスが実行されない。この場合、決定済みの付箋貼付領域に付箋ＦＳが貼り付けられても、当該付箋ＦＳがコルゲートプレート７０によって押さえられない状態で、当該付箋ＦＳを印刷するためのパスが実行され得る。これを避けるために、上記の通り、本実施例では、ＣＰＵ１２２は、パス先頭画像２０２ａを含む印刷画像を表わす印刷データ５００を生成する（図５のＳ２２）。印刷画像にパス先頭画像２０２ａが含まれるので、プリンタＰＲは、ノズルＮＥによってパス先頭画像２０２ａを印刷する。このため、プリンタＰＲにおいて、先頭スキップ機能に従った台紙ＭＢの搬送が実行されることを防止することができる。この結果、付箋ＦＳがコルゲートプレート７０によって押さえられた状態で、当該付箋ＦＳを印刷するためのパスが適切に実行される。
【００６５】
（第３実施例）
第３実施例では、プリンタＰＲは、先頭スキップ機能を備えるとともに、いわゆる中間スキップ機能を備える。中間スキップ機能は、プリンタＰＲが、印刷画像のうちの副走査方向の中間部分に空白が存在する場合に、空白でない対象画像が配置されている位置までシートＳを搬送し（即ち中間の空白部分をスキップし）、対象画像が配置されている位置から印刷ヘッドＰＨの主走査動作を開始する機能である。
【００６６】
本実施例でも、ベンダは、第１実施例と同様の手法によって１段目の各付箋貼付領域を決定する（図９参照）。ただし、本実施例では、図１２に示すように、ベンダは、第１実施例とは異なる方法で２段目の付箋貼付領域を決定する。まず、ベンダは、１段目の付箋貼付領域の下流端Ａ１から、ＳＭ（図１１参照）以上離れた任意の位置に、新たな起点ＳＢ２を定める。そして、ベンダは、新たな起点ＳＢ２を基準として、１段目の付箋貼付領域の下流端Ａ１の決定手法（図９参照）と同様の手法によって２段目の付箋貼付領域の下流端Ｂ２の位置を決定する。図１２の式（３）は、図９の式（１）と同様である。式（３）におけるｎの値は、２段目の付箋ＦＳへの印刷に必要なパス数（即ち主走査動作の回数）に相当する。２段目の付箋貼付領域の主走査方向の位置は、１段目の付箋貼付領域の主走査方向の位置と同じである。また、ベンダは、１段目の付箋貼付領域の場合と同様に、２段目の付箋貼付領域の印刷領域Ｒを決定する。
【００６７】
本実施例では、ベンダは、図５のＳ２２で合成データ（即ちベタ画像データに対象画像データが合成された合成データ）を生成する際に、図９の起点ＳＡ１の位置にパス先頭画像２０２ａ（図６、図７参照）を表わすパス先頭データを合成するとともに、図９の印刷領域Ｒに対応する長さを有するスキップ防止画像２０４ａ（図６、図７参照）を表わすスキップ防止データを合成するように、プリンタドライバ１２６を準備する。それとともに、ベンダは、さらに、合成データを生成する際に、図１２の起点ＳＢ２の位置にパス先頭画像２０２ｂ（図６、図７参照）を表わすパス先頭データを合成するとともに、２段目の印刷領域Ｒに対応する長さを有するスキップ防止画像２０４ｂ（図６、図７参照）を表わすスキップ防止データを合成するように、プリンタドライバ１２６を準備する。
【００６８】
従って、Ｓ２２で生成される印刷データ５００に従って印刷が実行されると、図６、図７に示されるように、パス先頭画像２０２ａ、２０２ｂ、及び、スキップ防止画像２０４ａ、２０４ｂが台紙ＭＢに印刷される。
【００６９】
本実施例でも、パス先頭画像２０２ａは、印刷画像の副走査方向に対応する第１方向（即ち図６、図７の上下方向）において、１段目の対象画像の第２側（即ち上側）の端部（即ち印刷領域Ｒの第２側の端部）よりも第２側（即ち上側）に配置されている。より詳しく言うと、パス先頭画像２０２ａは、印刷データ５００に従って１パス目の主走査動作が行われる際に、最下流ノズルＮＥによって印刷される位置に配置される。そして、スキップ防止画像２０４ａは、第２方向（即ち左右方向）において、１段目の印刷領域Ｒとは異なる位置に配置されているとともに、第１方向（即ち上下方向）における印刷領域Ｒの第１側（即ち下側）の端部と第２側（即ち上側）の端部との間の全域に亘って連続的に伸びている。パス先頭画像２０２ｂは、第１方向において、２段目の対象画像の第２側（即ち上側）の端部（即ち印刷領域Ｒの第２側の端部）よりも第２側（即ち上側）に配置されている。スキップ防止画像２０４ｂは、第２方向（即ち左右方向）において、２段目の印刷領域Ｒとは異なる位置に配置されているとともに、第１方向（即ち上下方向）における印刷領域Ｒの第１側（即ち下側）の端部と第２側（即ち上側）の端部との間の全域に亘って連続的に伸びている。
【００７０】
図９、図１２の例では、１段目の付箋ＦＳへの印刷は２回のパス（即ち１パス目と２パス目のパス）によって実行される。そして、２段目の付箋ＦＳへの印刷も２回のパス（即ち３パス目と４パス目のパス）によって実行される。本実施例では、３パス目のパスデータには、搬送量ＰＬ（即ちＮノズルピッチ）を示す搬送量データに代えて、図１２の下流端Ａ１と起点ＳＢ２との間の距離に相当する搬送量（即ち、ＳＭ以上の任意の搬送量。Ｎノズルピッチであってもよい）を示す搬送量データが含まれる。この例では、１パス目の主走査動作が行われる際に、最下流ノズルＮＥによって、パス先頭画像２０２ａが台紙ＭＢ上に印刷される。また、１パス目及び２パス目の主走査動作が実行される際に、スキップ防止画像２０４ａが台紙ＭＢ上に印刷される。そして、３パス目の主走査動作が行われる際に、最下流ノズルＮＥによって、パス先頭画像２０２ｂが台紙ＭＢ上に印刷される。また、３パス目及び４パス目の主走査動作が実行される際に、スキップ防止画像２０４ｂが台紙ＭＢ上に印刷される。
【００７１】
本実施例のプリンタＰＲによる場合も、仮に先頭スキップ機能と中間スキップ機能の少なくとも一方が実行されると、付箋ＦＳがコルゲートプレート７０によって押さえられていない状態で、当該付箋ＦＳを印刷するためのパスが実行され得る。これに対し、上記の通り、本実施例では、ＣＰＵ１２２は、パス先頭画像２０２ａ、２０２ｂ、及び、スキップ防止画像２０４ａ、２０４ｂを含む印刷画像を表わす印刷データ５００を生成する（図５のＳ２２）。印刷画像にパス先頭画像２０２ａ、２０２ｂ、及び、スキップ防止画像２０４ａ、２０４ｂが含まれるので、プリンタＰＲは、対象画像の印刷に伴い、パス先頭画像２０２ａ、２０２ｂ、及び、スキップ防止画像２０４ａ、２０４ｂを台紙ＭＢに印刷する。このため、プリンタＰＲにおいて、先頭スキップ機能及び中間スキップ機能に従った台紙ＭＢの搬送が実行されることを防止することができる。この結果、付箋ＦＳがコルゲートプレート７０によって押さえられた状態で、当該付箋ＦＳを印刷するためのパスが適切に実行される。
【００７２】
（第４実施例）
第４実施例では、プリンタＰＲが、いわゆるインタレース印刷を実行する。インタレース印刷は、印刷ヘッドＰＨが主走査動作を実行することによって対象画像を構成する複数個のドットが付箋ＦＳに形成された後に、上記複数個のドットのうちの副走査方向に沿って隣接する２個のドットの間に１個以上のドットが形成される印刷手法である。言い換えると、副走査方向に沿った１ノズルピッチの間に複数個のドットを形成するために、複数回の主走査動作（即ちパス）が実行される印刷手法である。本実施例では、図１３に示すように、印刷領域Ｒ中に配置される対象画像の各部分は、いずれも、４回の主走査動作によって印刷される。即ち、４パスインタレース印刷が実行される。
【００７３】
本実施例において、ベンダがテンプレートデータを生成するための処理を説明する。まず、ベンダは、台紙ＭＢにおける１段目の付箋貼付領域を決定する。図１３を参照して、１段目の付箋貼付領域の決定方法を説明する。まず、ベンダは、台紙ＭＢの副走査方向（図１３の上下方向）の下流端から上流側に所定の余白に相当する距離だけ離れた位置に起点ＳＣ１を定める。
【００７４】
そして、ベンダは、以下の式（４）が成立するｉの値を決定する。
ＦＬ≦ＲＬ＊ｉ＋ＴＬ＊（ｉ−１）＋ＵＭ・・・・・・式（４）
上記の式（４）において、ＦＬ，ＵＭは上述の通りである。ＲＬは、図１３に示すように、各パスの重複範囲が大きい部分（以下では、大重複範囲と呼ぶ）の副走査方向の長さに相当する。そして、ＴＬは、各パスの重複範囲が小さい部分（以下では、小重複範囲と呼ぶ）の副走査方向の長さに相当する。ｉは、付箋ＦＳに対して印刷を実行するための大重複範囲の数に相当する。
【００７５】
ベンダは、式（４）が成立するｉの値を特定すると、式（４）の右辺である「ＲＬ＊ｉ＋ＴＬ＊（ｉ−１）＋ＵＭ」の値を算出する。ベンダは、上記の起点ＳＣ１から、ここで算出された「ＲＬ＊ｉ＋ＴＬ＊（ｉ−１）＋ＵＭ」だけ離れた位置を、１段目の付箋貼付領域の下流端Ｃ１として決定する。なお、１段目の付箋貼付領域の主走査方向の位置の決定手法は、図９と同様である。また、各付箋貼付領域の印刷領域Ｒの決定手法も図９と同様である。次いで、ベンダは、台紙ＭＢにおける２段目以降の付箋貼付領域を決定する。２段目以降の付箋貼付領域は、１段目と略同様の手法によって決定される。
【００７６】
ベンダは、上記の手法によって各付箋貼付領域を決定すると、各付箋貼付領域を示すガイド枠ＧＦと、メッセージ２１０の画像（図６、図７参照）と、を含む台紙画像を表わす台紙データを生成することができる。ベンダは、様々な付箋のサイズについて、上記と同様に台紙データを生成して、この結果、複数個の台紙データを含むテンプレートデータ群１２８が生成される。
【００７７】
本実施例では、端末装置ＴＲのＣＰＵ１２２が実行する付箋印刷処理（図５参照）の内容の一部も、第１実施例とは異なる。図５のＳ２２では、ＣＰＵ１２２は、印刷データ５００を生成する。図１３に示すように、４パスインタレース印刷が実行される場合、１〜４パス目の実行前には、小搬送量（具体的には１／４ノズルピッチ）で台紙ＭＢが搬送され、５パス目の実行前には、大搬送量（具体的には（Ｎ−１）＋１／４ノズルピッチ）で台紙ＭＢが搬送される。そのため、１〜４パス目のパスデータには、上記の小搬送量に相当する搬送量データが含まれ、５パス目のパスデータには、上記の大搬送量に相当する搬送量データが含まれる。
【００７８】
なお、本実施例でも、プリンタＰＲが先頭スキップ機能を備えていてもよい。この場合には、ベンダは、図５のＳ２２で合成データ（即ちベタ画像データに対象画像データが合成された合成データ）を生成する際に、図１３の起点ＳＣ１の位置にパス先頭画像２０２ａ（図６、図７参照）を表わすパス先頭データを合成するように、プリンタドライバ１２６を準備すればよい。
【００７９】
また、プリンタＰＲが中間スキップ機能をさらに備えていてもよい。この場合には、ベンダは、図５のＳ２２で合成データ（即ちベタ画像データに対象画像データが合成された合成データ）を生成する際に、図１３の起点ＳＣ１の位置にパス先頭画像２０２ａ（図６、図７参照）を表わすパス先頭データを合成するとともに、図１３の印刷領域Ｒに対応する長さを有するスキップ防止画像２０４ａ（図６、図７参照）を表わすスキップ防止データを合成するように、プリンタドライバ１２６を準備すればよい。
【００８０】
以上、本発明の具体例を詳細に説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【００８１】
（変形例１）プリンタＰＲは、１パス印刷（第１〜第３実施例）、４パスインタレース印刷（第４実施例）に限られず、例えば２パスインタレース印刷等、４パスインタレース印刷以外のマルチパスインタレース印刷を実行してもよい。また、プリンタＰＲは、いわゆる「４パスシングリング印刷」を実行してもよい。４パスシングリング印刷とは、印刷ヘッドがｋ回目（ｋは１以上の整数）の主走査動作を実行することによって対象画像を構成する複数個のドットが付箋ＦＳに形成された後に、上記複数個のドットのうちの主走査方向に沿って隣接する２個のドットの間に３個のドットが形成される印刷手法である。また、プリンタＰＲは、例えば２パスシングリング印刷等、その他のマルチパスシングリング印刷を実行してもよい。また、プリンタは、マルチパスインタレース印刷とマルチパスシングリング印刷を組み合わせた印刷を実行してもよい。ここで、上記の各実施例及び本変形例で開示したマルチパスインタレース印刷及びマルチパスシングリング印刷における各パスにおけるドットの形成手法は一例に過ぎず、マルチパスインタレース印刷及びマルチパスシングリング印刷では、各パスにおいて、任意のドットの形成手法を採用してもよい。プリンタＰＲが本変形例のいずれかである場合にも、本明細書に開示する印刷システムは、上記の各実施例で説明した手法と同様の手法で付箋印刷を実行するようにしてもよい。
【００８２】
（変形例２）端末装置ＴＲのメモリ１２４は、テンプレートデータ群１２８を記憶していなくてもよい。この場合、付箋印刷処理（図５参照）において、ＣＰＵ１２２は、ユーザによって選択された付箋サイズに基づいて、上記の各実施例で説明した手法（図９〜図１３参照）に従って付箋貼付領域を決定し、決定済みの付箋貼付領域に応じたテンプレートデータを生成してもよい。
【００８３】
（変形例３）プリンタＰＲの制御部２０内のメモリが、プリンタドライバ１２６及びテンプレートデータ群１２８を記憶していてもよい。この場合、制御部２０は、プリンタドライバ１２６及びテンプレートデータ群１２８に従って、図５の付箋印刷処理と同様の処理を実行してもよい。本変形例では、プリンタＰＲの制御部２０が「制御装置」の一例である。
【００８４】
（変形例４）プリンタＰＲは、コルゲートプレート７０を備えていなくてもよい。プリンタＰＲは、印刷ヘッドＰＨが付箋ＦＳを印刷するための主走査動作を実行する際に、給紙ローラ対４０によって付箋ＦＳの一部を押さえるように構成されていてもよい。本変形例では、給紙ローラ対４０が「押さえ部材」の一例である。
【００８５】
（変形例５）付箋のサイズに応じた複数種類の台紙がベンダによって予め準備され、プリンタＰＲとともに梱包されて出荷されてもよい。この場合、ＣＰＵ１２２は、付箋印刷処理（図５）において、Ｓ１４、Ｓ１６の処理を省略してもよい。ユーザは、プリンタＰＲとともに出荷された複数種類の台紙のうち、自身が印刷を希望する付箋のサイズに応じた台紙を選択し、その台紙に付箋を貼り付けた上でプリンタＰＲにセットすればよい。また、プリンタＰＲによって印刷され、一度付箋印刷のために使用された台紙ＭＢを再利用してもよい。
【００８６】
（変形例６）付箋ＦＳは、紙製のものに限られず、樹脂製等の任意の素材製の付箋であってもよい。また、台紙ＭＢも、紙製のものに限られず、樹脂製等、任意のシート材であってもよい。
【００８７】
（変形例７）上記の第３実施例において、スキップ防止画像２０４ａは、印刷領域Ｒの第１側（即ち下側）の端部と第２側（即ち上側）の端部との間の全域に対応する範囲に亘って連続的に伸びていなくてもよい。具体的に言うと、図６、図７の例において、スキップ防止画像２０４ａは、少なくとも、２パス目の主走査動作を実行する際の印刷ヘッド（即ち、図６、図７のＰＨ２）の副走査方向の下流端のノズルＮＥによって印刷される位置に配置されていればよい。この変形例の場合でも、中間スキップ動作が実行されることを防止することができる。
【００８８】
（変形例８）図６、図７の各ガイド枠ＧＦの大きさは、貼り付けられるべき付箋ＦＳの大きさと同じ大きさには限られない。例えば、各ガイド枠ＧＦの大きさは、付箋貼付位置を示すことができれば、貼り付けられるべき付箋ＦＳよりも小さくても、大きくてもよい。
【００８９】
（変形例９）上記の各実施例では、ＣＰＵ１２２がプリンタドライバ１２６（即ち、ソフトウェア）を実行することによって、図５の処理が実現される。これに代えて、図５の処理のうちの少なくとも一部の処理は、論理回路等のハードウェアによって実現されてもよい。
【００９０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００９１】
２：印刷システム、ＰＲ：プリンタ、１２：ネットワークＩ／Ｆ、２０：制御部、ＰＥ：印刷エンジン、ＰＨ：印刷ヘッド、Ｎ１，ＮＥ：ノズル、ＴＵ：シート搬送部、ＡＵ：ヘッド駆動部、ＳＰ：シート押さえ部、Ｓ：シート、Ｓａ：凸部分、Ｓｂ：凹部分、４０：給紙ローラ対、４２：プラテン、４４：リブ、４６：排紙ローラ対、４８、５０：コルゲート拍車、６０：キャリッジ、７０：コルゲートプレート、ＴＲ：端末装置、１０２：ネットワークＩ／Ｆ、１０４：操作部、１０６：表示部、１２０：制御部、１２２：ＣＰＵ、１２４：メモリ、１２６：プリンタドライバ、１２８：テンプレートデータ群、ＭＢ：台紙、ＦＳ：付箋、ＧＦ：ガイド枠、２０２ａ、２０２ｂ：パス先頭画像、２０４ａ、２０４ｂ：スキップ防止画像、２１０：メッセージ、３００：接着領域、４００：テンプレート画面、４０２：入力領域、４０４：印刷実行ボタン、５００：印刷データ
【図１】
2017151862.tif 000003
【図２】
2017151862.tif 000004
【図３】
2017151862.tif 000005
【図４】
2017151862.tif 000006
【図５】
2017151862.tif 000007
【図６】
2017151862.tif 000008
【図７】
2017151862.tif 000009
【図８】
2017151862.tif 000010
【図９】
2017151862.tif 000011
【図１０】
2017151862.tif 000012
【図１１】
2017151862.tif 000013
【図１２】
2017151862.tif 000014
【図１３】
2017151862.tif 000015